(57)【特許請求の範囲】
【請求項１】
警察官等が装着するウェアラブルカメラであって、
撮像部と、
前記撮像部から出力される画像情報の記録媒体への記録を開始するか否かを制御する記録制御部と、を備え、
パトロール中に車載パーソナルコンピュータと接続し、前記ウェアラブルカメラに電源を供給する第１のケーブル、又はパトロール中以外にＡＣアダプタと接続し、前記ウェアラブルカメラに電源を供給する第２のケーブルに接続可能であり、
前記記録制御部は、前記第１のケーブルとの接続状態が解除されると前記撮像部から出力される画像情報の記録を開始するとともに、前記第２のケーブルとの接続状態が解除されると前記撮像部から出力される画像情報の記録は開始しない、
ウェアラブルカメラ。
【請求項２】
請求項１に記載のウェアラブルカメラであって、
前記第１のケーブルは、充電可能な充電ケーブルであり、
充電電圧が印加される充電端子と、電圧変化を検出する検出端子とを設け、
前記充電ケーブルにおいて前記充電端子と前記検出端子とが電気的に接続されるように構成し、
前記充電ケーブルのプラグが抜けた場合、前記検出端子が前記電圧変化を検出したことにより、前記撮像部から出力される画像情報の記録を開始する、
ウェアラブルカメラ。
【発明の詳細な説明】
【技術分野】
【０００１】
本発明は、携帯可能であり録画を行うことができるウェアラブルカメラに関する。
【背景技術】
【０００２】
近年、警察官や警備員の業務を支援するために、ウェアラブルカメラの導入が検討されている。
ウェアラブルカメラを用いた認証システムが開発されており、例えば特許文献１に記載されたものがある。特許文献１に記載された認証システムは、カメラ付き懐中電灯である携帯端末と、該携帯端末の充電機能を有するクレードルと、該クレードルに接続されたパーソナルコンピュータを有し、当該システムが警備に用いられる場合、巡回パトロールを始めようとする警備員（ユーザ）が、まず個人認証情報の入力を含む認証作業を実施した後、携帯端末をクレードルから抜き取る。この抜き取りに応答して、該携帯端末にて録画が開始され、パーソナルコンピュータに接続された外部機器に対してパーソナルコンピュータから認証結果データを含む警備開始通知メールが送信される。警備員は、巡回を終えて携帯端末をクレードルに戻すと、警備終了通知メールが外部機器に送信される。その後、携帯端末における録画は終了されて、撮像データはパーソナルコンピュータ内の主記録媒体に転送される。
【先行技術文献】
【特許文献】
【０００３】
【特許文献１】特開２０１４−１４６１８４号公報
【発明の概要】
【発明が解決しようとする課題】
【０００４】
ところで、上述した特許文献１に記載された認証システムにおいては、携帯端末であるカメラをクレードルから引き抜いたときに録画を開始するようにしているが、使用状況によりクレードルから引き抜いた直後に録画する必要が無い場合がある。そのため、ユーザが任意に録画するようにすると、必要なときに録画できない恐れがあるが、常時録画を行うようにすると無駄な録画が行われるとともに、携帯端末の記憶容量を無駄にしてしまうという課題がある。
【０００５】
本発明は、係る事情に鑑みてなされたものであり、必要なときにのみ録画が可能なウェアラブルカメラを提供することを目的とする。
【課題を解決するための手段】
【０００６】
本発明は、警察官等が装着するウェアラブルカメラであって、撮像部と、前記撮像部から出力される画像情報の記録媒体への記録を開始するか否かを制御する記録制御部と、を備え、パトロール中に車載パーソナルコンピュータと接続し、前記ウェアラブルカメラに電源を供給する第１のケーブル、又はパトロール中以外にＡＣアダプタと接続し、前記ウェアラブルカメラに電源を供給する第２のケーブルに接続可能であり、前記記録制御部は、前記第１のケーブルとの接続状態が解除されると前記撮像部から出力される画像情報の記録を開始するとともに、前記第２のケーブルとの接続状態が解除されると前記撮像部から出力される画像情報の記録は開始しない、ウェアラブルカメラである。
【発明の効果】
【０００７】
本発明によれば、必要なときにのみ録画が可能となる。
【図面の簡単な説明】
【０００８】
【図１】本発明の実施の形態１に係るカメラの外観を示す斜視図
【図２】図１のカメラの概略構成を示すブロック図
【図３】図１のカメラとパーソナルコンピュータの接続状態を示す図
【図４】図１のカメラのコンタクトターミナルのＶ＋端子における充電電圧とＣＯＮ．ＤＥＴ端子における電圧の変化を示す図
【図５】図１のカメラとＡＣアダプタの接続状態を示す図
【図６】図１のカメラのコンタクトターミナルのＶ＋端子における充電電圧とＣＯＮ．ＤＥＴ端子における電圧の変化を示す図
【図７】本発明の実施の形態２に係るカメラにおいてフラグを“０”と“１”に設定した場合における録画の可否を説明するための図
【図８】図７のカメラにおいてフラグを“２”に設定した場合における録画の可否を説明するための図
【図９】図７のカメラにおいてフラグを“３”に設定した場合における録画の可否を説明するための図
【発明を実施するための形態】
【０００９】
以下、本発明を実施するための好適な実施の形態について、図面を参照して詳細に説明する。
【００１０】
（実施の形態１）
図１は、本発明の実施の形態１に係るカメラの外観を示す斜視図であり、同図の（ａ）は正面側を示し、同図の（ｂ）は裏面側を示す。この場合、同図の（ｂ）は上下逆さまにした状態を示している。同図の（ａ）、（ｂ）に示すように、カメラ１は、録画可能なカメラであって、縦長方形状に形成されている。カメラ１の本体正面の上部中央にレンズ１１が設けられており、本体上面には録画ボタン１２とスナップショットボタン１３が設けられている。また、カメラ１の本体正面の下部には３個のＬＥＤ（発光ダイオード）１４〜１６が等間隔で設けられており、カメラ１の本体右面にはＷｉ−Ｆｉ（登録商標）ボタン１７が設けられている。また、カメラ１の本体下面には、パーソナルコンピュータ等の外部機器と接続するためのコンタクトターミナル１９が設けられている。なお、本実施の形態に係るカメラ１は、警察署において使用する場合を想定したものであるが、警察署以外の様々な事業所で使用できることは言うまでもない。なお、カメラ１は、携帯可能なカメラであるため、例えば、身体に装着して利用するウェアラブルカメラ等である。
【００１１】
録画ボタン１２は、動画撮像時に操作するボタンであり、これを押下することで動画の撮影が開始される。スナップショットボタン１３は静止画撮像時に操作するボタンであり、これを押下することで静止画が撮像される。ＬＥＤ１４は、カメラ１の電源投入状態を示すランプであり、電源ボタン（図示略）が押下されることで点灯する。ＬＥＤ１５は、カメラ１の録画状態を示すランプであり、録画ボタン１２が押下されることで点灯する。ＬＥＤ１５は録画中継続して点灯する。ＬＥＤ１６は、Ｗｉ−Ｆｉによる無線通信状態を示すランプであり、Ｗｉ−Ｆｉボタン１７が押下されることで点灯する。特に、ＬＥＤ１６は、２色点灯が可能なＬＥＤであり、Ｗｉ−Ｆｉボタン１７の押下によって異なる色で点灯する。すなわち、１回目の押下によって第１色（例えば、赤）で点灯し、２回目の押下によって第２色（例えば、緑）で点灯し、３回目の押下によって消灯する。これらの状態がＷｉ−Ｆｉボタン１７の押下によって繰り返される。つまり、Ｗｉ−Ｆｉボタン１７の押下毎に第１色点灯→第２色点灯→消灯→第１色点灯→・・・が繰り返される。
【００１２】
カメラ１には通信に関するモードとして、アクセスポイントモードとステーションモードが用意されており、Ｗｉ−Ｆｉボタン１７の押下が行われる毎にアクセスポイントモード→ステーションモード→通信オフ→アクセスポイントモード…と、モードが切り替わる。そして、モードの切り替えに応じてＬＥＤ１６の点灯色が変わる。すなわち、アクセスポイントモード時には第１色で点灯し、ステーションモード時には第２色で点灯する。なお、通信オフ時には消灯する。
【００１３】
コンタクトターミナル１９には、図１（ｂ）に示すように、「充電端子Ｖ＋（以下、Ｖ＋端子とも言う）」、「ＣＯＮ．ＤＥＴ端子（検出端子）」、「データ端子Ｄ−，Ｄ＋」及び「ＧＮＤ端子（グランド端子）」が設けられている。充電端子Ｖ＋は、充電電圧が印加される端子である。ＣＯＮ．ＤＥＴ端子は、電圧変化を検出するための端子である。データ端子Ｄ−，Ｄ＋は、パーソナルコンピュータにカメラ１で撮像した撮像データ等を送信するための端子である。コンタクトターミナル１９は、後述する充電ケーブル又はＡＣアダプタと接続される。
【００１４】
図２は、カメラ１の概略構成を示すブロック図である。同図において、カメラ１は、上述した録画ボタン１２、スナップショットボタン１３、ＬＥＤ１４〜１６、Ｗｉ−Ｆｉボタン１７及びコンタクトターミナル１９の他に、撮像部１００、ＧＰＩＯ（General Purpose Input/Output）１０１、ＲＡＭ（Random Access Memory）１０２、ＲＯＭ（Read Only Memory）１０３、ＳＤメモリ１０４、ＥＥＰＲＯＭ（Electrically Erasable Programmable Read-Only Memory）１０５、ＲＴＣ（Real-Time Clock）１０６、ＧＰＳ（Global Positioning System）１０７、ＣＰＵ（Central Processing Unit）１０８、物理層（Physical Layer）１０９、Ｗｉ−Ｆｉ通信部１１０、ＵＳＢ（Universal Serial Bus）１１１、電源部１１２及びバッテリ１１３を有している。なお、ＣＰＵ１０８は、検出部及び記録制御部に対応する。なお、ＳＤメモリ１０４は、カメラ１から着脱可能な媒体であり、具体的にはＳＤカード等であるが、カメラ１本体に内蔵されていても良い。
【００１５】
撮像部１００は、上述したレンズ１１の他に、ＣＣＤ（Charge Coupled Device）型イメージセンサやＣＭＯＳ（Complementary Metal Oxide Semiconductor）型イメージセンサ等の固体撮像素子を有しており、撮像データを出力する。ＧＰＩＯ１０１は、パラレルインタフェースであり、上述した録画ボタン１２、スナップショットボタン１３、ＬＥＤ１４〜１６及びＷｉ−Ｆｉボタン１７とＣＰＵ１０８との間の信号の入出力を行う。
【００１６】
ＲＡＭ１０２は、ＣＰＵ１０８の動作において使用されるワークメモリである。ＲＯＭ１０３は、ＣＰＵ１０８を制御するためのプログラムを記憶する。ＳＤメモリ１０４は、撮像部１００から出力される撮像データを記憶する。ＳＤメモリ１０４は、カメラ１の本体に対して取付け／取外しが可能となっている。ＥＥＰＲＯＭ１０５は、カメラ１のシリアル番号を記憶する。ＲＴＣ１０６は、現在時刻情報を出力する。ＧＰＳ１０７は、現在位置情報を出力する。物理層１０９は、ＯＳＩ（Open Systems Interconnection）参照モデルの第１層であり、Ｗｉ−Ｆｉ通信部１１０とＣＰＵ１０８との接続を規定する。Ｗｉ−Ｆｉ通信部１１０は、Ｗｉ−Ｆｉ通信を行う。ＵＳＢ１１１は、シリアルバスであり、カメラ１とパーソナルコンピュータ（後述する）の接続を可能とする。電源部１１２は、コンタクトターミナル１９を介して供給される電源でバッテリ１１３を充電する。バッテリ１１３は、カメラ１の各部に電源を供給する。
【００１７】
ＣＰＵ１０８は、ＲＯＭ１０３に記憶されたプログラムに従って動作する。ＣＰＵ１０８は、その動作において、ＲＡＭ１０２を使用し、またＲＴＣ１０６より現在時刻情報を得るとともに、ＧＰＳ１０７より現在位置情報を得る。また、ＣＰＵ１０８は、録画ボタン１２、スナップショットボタン１３及びＷｉ−Ｆｉボタン１７の各ボタンの押下の検出を行い、操作があったボタンに対する処理を行う。すなわち、録画ボタン１２が押下された場合は、撮像部１００から出力される撮像データを動画像としてＳＤメモリ１０４に保存する。また、スナップショットボタン１３が押下された場合は、当該ボタン１３が押されたときの撮像データを静止画像としてＳＤメモリ１０４に保存する。また、録画ボタン１２が押下された場合はＬＥＤ１５を点灯させる。Ｗｉ−Ｆｉボタン１７が押下された場合はＷｉ−Ｆｉ通信部１１０を使用してＷｉ−Ｆｉ通信を行う。Ｗｉ−Ｆｉボタン１７が押下された場合はＬＥＤ１６を点灯させるが、通信に関するモードがアクセスポイントモードであれば第１色で点灯させ、ステーションモードであれば第２色で点灯させる。ＣＰＵ１０８は、動画撮像、静止画撮像及びＷｉ−Ｆｉ通信を行う。
【００１８】
図３は、充電ケーブル４（第１のケーブル）によるカメラ１とパーソナルコンピュータ３の接続状態を示す図である。同図において、充電ケーブル４の一方の端には、カメラ１のコンタクトターミナル１９に接続可能なプラグ４１が取付けられており、他方の端にはパーソナルコンピュータ３のレセプタクル３１に接続可能なプラグ４２が取付けられている。充電ケーブル４は、パーソナルコンピュータ３のレセプタクル３１のＶＢＵＳ（５Ｖ）端子とカメラ１のコンタクトターミナル１９のＶ＋端子及びＣＯＮ．ＤＥＴ端子とを接続する。また、充電ケーブル４は、レセプタクル３１のＤ−端子とコンタクトターミナル１９のＤ−端子、レセプタクル３１のＤ＋端子とコンタクトターミナル１９のＤ＋端子、レセプタクル３１のＧＮＤ端子とコンタクトターミナル１９のＧＮＤ端子をそれぞれ接続する。また、コンタクトターミナル１９に接続可能なプラグ４１は、パーソナルコンピュータ３のレセプタクル３１に接続可能なプラグ４２よりも接続が外れやすくなっており、例えば、プラグ４１は、磁力で固定されるようなマグネット端子等でコンタクトターミナル１９と接続し、プラグ４２はＵＳＢ端子等を差し込むことでレセプタクル３１と接続している。
【００１９】
充電ケーブル４においてカメラ１のコンタクトターミナル１９の充電端子Ｖ＋とＣＯＮ．ＤＥＴ端子を電気的に接続することで、充電ケーブル４のプラグ４１がカメラ１のコンタクトターミナル１９から外れた場合に、カメラ１のコンタクトターミナル１９のＣＯＮ．ＤＥＴ端子に充電電圧が印加されなくなる。カメラ１のＣＰＵ１０８は、コンタクトターミナル１９のＣＯＮ．ＤＥＴ端子に充電電圧が印加されなくなったことを検出することで、撮像部１００から出力される撮像データのＳＤメモリ１０４への記録を開始する。すなわち、充電ケーブル４のプラグ４１がカメラ１のコンタクトターミナル１９から外れた場合に録画が開始される。
【００２０】
図４は、カメラ１のコンタクトターミナル１９のＶ＋端子における充電電圧とＣＯＮ．ＤＥＴ端子における電圧の変化を示す図である。カメラ１を充電ケーブル４でパーソナルコンピュータ３と接続すると、カメラ１に充電ケーブル４が接続された時点（時刻Ｔ１）で、カメラ１のコンタクトターミナル１９のＶ＋端子に５Ｖの充電電圧が印加されるとともに、コンタクトターミナル１９のＣＯＮ．ＤＥＴ端子にも５Ｖの充電電圧が印加される。カメラ１に充電電圧が印加されることで、カメラ１のバッテリ１１３の充電が行われる。また、カメラ１のコンタクトターミナル１９のＣＯＮ．ＤＥＴ端子に充電電圧が印加されることで、ＣＯＮ．ＤＥＴ端子における信号レベルが「Ｈ（Ｈｉ）」になる。
【００２１】
その後、カメラ１から充電ケーブル４が外れると、その時点（時刻Ｔ２）でカメラ１のコンタクトターミナル１９のＶ＋端子への充電電圧の供給が停止し、また同時にカメラ１のコンタクトターミナル１９のＣＯＮ．ＤＥＴ端子への充電電圧の供給が停止する。カメラ１のコンタクトターミナル１９のＣＯＮ．ＤＥＴ端子への充電電圧の供給が停止されることで、カメラ１のコンタクトターミナル１９のＣＯＮ．ＤＥＴ端子における信号レベルが「Ｈ」から「Ｌ（Ｌｏｗ）」になり、カメラ１はこの「Ｈ」から「Ｌ」に変化するタイミングを検知しこのタイミングで録画を開始する。すなわち、カメラ１のＣＰＵ１０８は、信号レベルの変化を検知すると撮像部１００から出力される画像データを取り込んで、ＳＤメモリ１０４に記録する。なお、ＣＯＮ．ＤＥＴ端子における「Ｈ」から「Ｌ」への信号レベルの変化は検知できればよく、必要なタイミングが検知できれば、「Ｌ」から「Ｈ」を検知するようにしてもよく、また、一方の信号レベルが０である必要も無い。さらに、本実施の形態では、信号レベルを電圧としているが、他のものでもよく、例えば、外部と通信中か否かを検知対象としてもよい。
【００２２】
一方、パーソナルコンピュータではなく電源から直接カメラ１を充電する場合、ＡＣアダプタ５（第２のケーブル、図５参照）を使用して、これをカメラ１のコンタクトターミナル１９に接続する。図５は、カメラ１とＡＣアダプタ５の接続状態を示す図である。同図において、ＡＣアダプタ５の充電電圧出力側のケーブル５１には、カメラ１のコンタクトターミナル１９に接続可能なプラグ５２が取付けられている。このプラグ５２をカメラ１のコンタクトターミナル１９に接続することで、プラグ５２のＶＢＵＳ（５Ｖ）がカメラ１のコンタクトターミナル１９のＶ＋端子に接続され、またプラグ５２のＧＮＤがカメラ１のコンタクトターミナル１９のＧＮＤに接続される。ＡＣアダプタ５には、充電ケーブル４と異なり、カメラ１のコンタクトターミナル１９のＣＯＮ．ＤＥＴ端子と接続する端子がないので、ＡＣアダプタ５の抜き差しにより、ＣＯＮ．ＤＥＴ端子における信号レベルが変化しない。そのため、カメラ１からＡＣアダプタ５を外してもカメラ１は録画を開始しない。なお、図５では、ＡＣアダプタ５に直接接続するようにしているが、利便性を考慮してクレードルを利用してカメラ１をＡＣアダプタ５に接続しても良い。
【００２３】
図６は、カメラ１のコンタクトターミナル１９のＶ＋端子における充電電圧とＣＯＮ．ＤＥＴ端子における電圧の変化を示す図である。同図において、カメラ１にＡＣアダプタ５が接続された時点（時刻Ｔ１）で、カメラ１のコンタクトターミナル１９のＶ＋端子に５Ｖの充電電圧が印加される。充電電圧が印加されることで、カメラ１のバッテリ１１３の充電が開始される。このとき、ＣＯＮ．ＤＥＴ端子における信号レベルは「Ｌ」のままである。その後、カメラ１からＡＣアダプタ５が外される。その時点（時刻Ｔ２）でカメラ１のコンタクトターミナル１９のＶ＋端子への充電電圧の供給が停止するが、コンタクトターミナル１９のＣＯＮ．ＤＥＴ端子における信号レベルが「Ｌ」のままであり、つまり信号レベルが変化しないので、カメラ１における録画は開始されない。
【００２４】
なお、パーソナルコンピュータ３は、カメラ１に充電用の電源を供給する以外に、カメラ１に保存されている撮像データを取り込んで保存する。また、録画を停止するには、カメラ１に充電ケーブル４を接続する、手動で録画を停止する、又は、タイマーを利用して所定の時間のみを録画するようにしても構わない。
【００２５】
上記説明したカメラ１に関するシステムについて、具体的な使用例について、以下詳細に説明する。なお、ここでの例は、あくまで一例であり、下記に限定されない。警察で利用する場合、警察署内では、ＡＣアダプタ５を用いてカメラ１を充電し、パトロールカー（図示略、以下“パトカー”と呼ぶ）内では、パトカー内に搭載されているパーソナルコンピュータ３から充電ケーブル４を用いてカメラ１を充電する。
【００２６】
上記のような使用状況において、パトロール前に警察官は、まず警察署内で充電されているカメラ１を持ち出し、身体（頭、肩、胸等）に装着する。この際、事件等は起こっておらず録画する必要は無いため、ＡＣアダプタ５から抜いた時点では録画を行わない（録画を開始しない）。つまり、図５、図６に示した動作を行う。
【００２７】
カメラ１を警察署から持ち出した警察官は、パトカーに乗ってパトロール業務を行う。この際、パトカー内では充電ケーブル４を介してパーソナルコンピュータ３から充電を行う。なお、パトカーには、パーソナルコンピュータ３に接続されカメラ１とは異なる車載カメラが設けられており、パトカーでのパトロール中は、この車載カメラにて録画を行う。そして、事件等が起こった場合、パトカーで現場近くまで向かい車から降りてその現場に向かう。その際、パトカーから離れるため車載カメラでは、現場の録画を行うことができない。そのため、カメラ１にて録画を行うが、この際、警察官が録画ボタンを押して録画するようにすると、警察官が録画し忘れる可能性がある。そのため、カメラ１が充電ケーブル４から抜けたとき自動的に録画できるようにする。つまり、図３、図４に示した動作を行う。
【００２８】
また、上述したように、カメラ１と充電ケーブル４は、マグネット端子で接続されているので、警察官が意識してケーブルを抜くことが不要、つまり一定の力がかかれば、簡単に充電ケーブル４が抜けるので、パトカーから飛び出す場合にも、警察官が意識することなく、録画を開始させることができる。
【００２９】
以上のように、カメラ１を利用することで、パトロール中、必要なとき（車載カメラが録画できないとき等）に自動的に録画することができる。
【００３０】
なお、撮像データに関しては、所定のタイミングで、警察署のサーバ、若しくはクラウドサーバにアップロードして、車載カメラの撮像データと、カメラ１の撮像データとをまとめて管理する。この際、車載カメラの撮像データと、カメラ１の撮像データをどの警察官が撮像したかも合わせて管理するため、車載カメラ、カメラ１共にパーソナルコンピュータ３を介してユーザＩＤ等で警察官を特定できるようにする。なお、カメラ１から上記のサーバに直接アップロードする場合には、例えば、カメラ１に上記ユーザＩＤを送信し、カメラ１がアップロードする際に、撮像データをユーザＩＤと共にサーバに送信すればよいし、パーソナルコンピュータ３を介してカメラ１の撮像データを送信する場合には、パーソナルコンピュータ３にて、車載カメラの撮像データと、カメラ１の撮像データ、ユーザＩＤを合わせてサーバに送信すればよい。
【００３１】
また、カメラ１の撮像データは、どのタイミングでサーバに送信してもよいが、パーソナルコンピュータ３と接続中に送信した方が好ましい。カメラ１は携帯型であるため、記憶容量には限度があり、パトロール中、つまりパーソナルコンピュータ３で充電中録画したデータを送信し削除すれば、記憶容量に余裕ができ、必要なときに録画できないという状況をなくすことができる。
【００３２】
また、警察官が撮像した撮像データは、証拠等に用いられるため改ざんを防止する必要がある。そのため、仮に着脱可能なＳＤメモリであっても、特定の方法でしか抜き差しできないようになっている。
【００３３】
このように本実施の形態に係るカメラ１によれば、コンタクトターミナル１９に、充電電圧が印加される充電端子Ｖ＋と、電圧変化を検出するＣＯＮ．ＤＥＴ端子とを有し、充電ケーブル４のプラグ４１がコンタクトターミナル１９に接続された場合、充電端子Ｖ＋とＣＯＮ．ＤＥＴ端子が充電ケーブル４によって電気的に接続されて、ＣＯＮ．ＤＥＴ端子における信号レベルが「Ｈ」になり、充電ケーブル４のプラグ４１がコンタクトターミナル１９から抜けた場合、ＣＯＮ．ＤＥＴ端子に充電電圧が印加されなくなって、ＣＯＮ．ＤＥＴ端子における信号レベルが「Ｈ」から「Ｌ」になることで、カメラ１の撮像部１００から出力される画像情報の記録を開始する。したがって、カメラ１から充電ケーブル４が抜けた場合に、カメラ１による画像情報の記録を開始するので、必要なときにのみ録画が可能となる。また、無駄な録画を行わないことから事件性のあるシーンについての十分な量の録画が可能となる。特に、本実施の形態では、カメラ１を警察官が使用することを想定していることから、警察署から事件現場までの間は撮影が行われず、事件現場到着時から撮影を行うことができる。
【００３４】
また、無駄な録画をしないので、記憶容量の少ない携帯型のカメラでも、必要なときに録画できない事態に陥る場合を減らすことができる。
【００３５】
また、カメラ１から撮像データをアップロードする場合にも、無駄な録画データが無いので、データ転送量を減らすことができ、特に、転送時間を短縮することができる。
【００３６】
（実施の形態２）
本発明の実施の形態２に係るカメラは、前述した実施の形態１に係るカメラ１と同様の構成を採るので、図１〜図３を援用することとする。また、機能的には一部異なることから符号１Ａを付与する。
【００３７】
また、前述した実施の形態１に係るカメラ１では、カメラ１のコンタクトターミナル１９の充電端子Ｖ＋とＣＯＮ．ＤＥＴ端子を接続できる充電ケーブル４を使用したが、実施の形態２に係るカメラ１Ａでは、充電ケーブル４、ＡＣアダプタ５を使用する必要はなく、一般的な充電ケーブル、ＡＣアダプタを使用することができる。充電ケーブル４は、カメラ１のコンタクトターミナル１９の充電端子Ｖ＋とＣＯＮ．ＤＥＴ端子を電気的に接続する配線になっているが、本実施の形態ではそのような配線にはなっていない。また、本発明の実施の形態１と同様に警察を例に説明するが、他の例でも構わない。
【００３８】
以下、実施の形態２に係るカメラ１Ａで使用する一般的な充電ケーブルに符号４Ａを付与する。なお、充電ケーブル４Ａの代わりに一般的なＡＣアダプタを利用しても良いが、以降の説明は充電ケーブル４Ａで説明する。この場合、充電ケーブル４Ａは、前述した充電ケーブル４と同様に、一方の端には、カメラ１Ａのコンタクトターミナル１９に接続できるプラグ４１が取付けられており、他方の端にはパーソナルコンピュータ３のレセプタクル３１（図３参照）に接続できるプラグ４２が取付けられている。但し、充電ケーブル４Ａは、カメラ１Ａのコンタクトターミナル１９の充電端子Ｖ＋とＣＯＮ．ＤＥＴ端子を電気的に接続する配線にはなっていない。
【００３９】
前述した実施の形態１に係るカメラ１では、充電ケーブル４のプラグ４１がカメラ１から抜けて、カメラ１のコンタクトターミナル１９のＣＯＮ．ＤＥＴ端子に充電電圧が印加されなくなった場合に録画を開始するが、実施の形態２に係るカメラ１Ａでは、フラグを設定可能とし、所定のフラグが設定されている状態で、充電ケーブル４Ａがカメラ１Ａから抜けた場合に録画を開始するようになっている。フラグの設定はＣＰＵ１０８によって行われ、ＲＡＭ１０２に保持される。フラグは“０”、“１”、“２”又は“３”に設定されるが、フラグの“０”と“１”は、カメラ１Ａをパーソナルコンピュータ３に接続して、パーソナルコンピュータ３でログイン／ログアウトすることで設定される。すなわち、ログインしたときに“１”に設定され、ログアウトしたときに“０”に設定される。一方、フラグの“２”と“３”はユーザによって手動で設定されるフラグである。フラグのユーザによる手動設定は、例えばカメラ１Ａに専用のボタンを設けるか、録画ボタン１２、スナップショットボタン１３及びＷｉ−Ｆｉボタン１７の操作の組み合わせでの設定が考えられる。また、例えば充電ケーブル４Ａを介してパーソナルコンピュータ３上で設定しても良く、例えば、設定アプリのＧＵＩにより設定するようにしても良い。
【００４０】
〔フラグ＝“０”又は“１”の場合〕
図７は、カメラ１Ａにおいてフラグを“０”と“１”に設定した場合における録画の可否を説明するための図であり、カメラ１Ａのフラグ管理を示した概念図（状態遷移図）である。同図において、カメラ接続状態とは、カメラ１Ａがクレードル（図示略）に接続されている状態又は充電ケーブル４Ａが接続されている状態であり、カメラ非接続状態とは、カメラ１Ａが充電ケーブル４Ａに接続されていない状態又は充電ケーブル４Ａを介してクレードルに接続されていない状態である。
【００４１】
カメラ１Ａのフラグは、通常“０”に設定されており、カメラ１Ａが警察署内にあるときは、この状態にある。したがって、カメラ接続状態からカメラ非接続状態に移行したとしても録画は開始されない。すなわち、警察署内でカメラ１Ａをクレードルから外しても録画は開始されない。
【００４２】
警察官がカメラ１Ａをパトカー内に持ち込み、パトカーに搭載されたパーソナルコンピュータ３に充電ケーブル４Ａで接続し、パーソナルコンピュータ３の管理画面でログインする（警察官がパトロール業務を開始する）と、フラグは“０”から“１”に変わる。フラグが“１”に変わった後、カメラ１Ａから充電ケーブル４Ａが外れた場合、録画が開始される。すなわち、フラグが“１”に設定されているときに、カメラ接続状態からカメラ非接続状態に移行すると、録画が開始される。このように、パトカー内でカメラ１Ａから充電ケーブル４Ａが外れることで、録画が開始される。なお、録画が開始された後に録画を停止するには、カメラ１Ａに充電ケーブル４Ａを接続する、手動で録画を停止する、又は、タイマーを利用して所定の時間のみを録画するようにしても構わない。
【００４３】
その後、パトカー内に戻り、カメラ１Ａに充電ケーブル４Ａを接続して、パーソナルコンピュータ３の管理画面でログアウトする（警察官がパトロール業務を終了する）と、フラグは“１”から“０”に変わる。フラグが“０”になると、上述したように、カメラ接続状態からカメラ非接続状態に移行したとしても録画は開始されない。すなわち、カメラ１Ａから充電ケーブル４Ａが抜けても録画は開始されない。以上のように、フラグが“０”又は“１”の場合は、ログイン／ログアウトによってフラグが変化し、カメラ１Ａから充電ケーブル４Ａが抜けた場合、録画の可否が変化する。
【００４４】
〔フラグ＝“２”の場合〕
図８は、カメラ１Ａにおいてフラグを“２”に設定した場合における録画の可否を説明するための図である。同図において、フラグが“２”の場合は、ログイン／ログアウトによって変化せず、カメラ１Ａから充電ケーブル４Ａが抜けても録画は開始されない。フラグ＝“０”又は“１”の場合は、ログインすると、フラグが“０”から“１”に変化したが、この場合はログインしてもしなくてもフラグは“２”のままである。したがって、充電ケーブル４Ａが抜けても録画は開始しない。以上のように、フラグを“２”に設定することで、自動的に録画する機能をオフにすることができる。
【００４５】
〔フラグ＝“３”の場合〕
図９は、カメラ１Ａにおいてフラグを“３”に設定した場合における録画の可否を説明するための図である。同図において、フラグが“３”の場合は、ログイン／ログアウトによって変化せず、カメラ１Ａから充電ケーブル４Ａが抜けると録画を開始する。すなわち、フラグを“３”に設定することで、自動的に録画する機能をオンにすることができる。したがって、警察署内においても充電ケーブル４Ａが抜けると、録画が開始される。以上のように、フラグを“３”に設定することで、自動的に録画する機能をオンにすることができる。
【００４６】
このように実施の形態２に係るカメラ１Ａによれば、フラグの設定を可能とし、充電ケーブル４Ａで接続されたパーソナルコンピュータ３にてログインされることで、フラグを“１”に設定し、フラグを“１”に設定した状態で、充電ケーブル４Ａが抜けた場合、録画を開始する。したがって、カメラ１Ａから充電ケーブル４Ａが抜けることで、カメラ１Ａが録画を開始するので、必要なときにのみ録画が可能となる。また、無駄な録画を行わないことから事件性のあるシーンについての十分な量の録画が可能となる。特に、本実施の形態では、カメラ１を警察官が使用することを想定していることから、警察署から事件現場までの間は撮影が行われず、事件現場到着時から撮影を行うことができる。
【００４７】
なお、実施の形態２に係るカメラ１Ａにおいて、充電ケーブル４Ａが接続されていることを検出して、そのときのフラグに応じてＳＤメモリ１０４に記録された撮像データをパーソナルコンピュータ３にアップロードするか、しないかを制御することも可能である。
【００４８】
また、実施の形態２に係るカメラ１Ａにおいて、クレードル（図示略）にパーソナルコンピュータ（図示略）が接続されている場合で、カメラ１Ａをクレードルに接続されたときに、ＳＤメモリ１０４に記録された撮像データを前記パーソナルコンピュータにアップロードするようにしてもよい。上記の場合も同様に、ＳＤメモリ１０４に記録された撮像データをアップロードすることで、ＳＤメモリ１０４のメモリ空間を空けて記録時間を確保することができる。
【００４９】
また、実施の形態２に係るカメラ１Ａにおいて、パトカーに搭載されたパーソナルコンピュータ３に対してログインする場合、予めカメラ１ＡのＩＤをパーソナルコンピュータ３に登録しておく必要があるが、ＩＤを登録しないカメラ１Ａであっても、パーソナルコンピュータ３でＩＤを付与できるようにしてもよい。
【００５０】
また、フラグは上記以外にも、例えば、食事をとるためやトイレへ行くためにパトカーを離れる場合等カメラ１Ａで撮影したくないときに用いるプライバシーを保護するためのフラグを設けてもよい。
【産業上の利用可能性】
【００５１】
本発明は、必要なときにのみ録画できるといった効果を奏し、携帯型のカメラなど録画容量の制限が厳しいウェアラブルカメラへの適用が可能である。
【符号の説明】
【００５２】
１，１Ａ  カメラ
３  パーソナルコンピュータ
４，４Ａ  充電ケーブル
５  ＡＣアダプタ
１１  レンズ
１２  録画ボタン
１３  スナップショットボタン
１４〜１６  ＬＥＤ
１７  Ｗｉ−Ｆｉボタン
１９  コンタクトターミナル
３１  レセプタクル
４１，４２，５２  プラグ
５１  ケーブル
１００  撮像部
１０１  ＧＰＩＯ
１０２  ＲＡＭ
１０３  ＲＯＭ
１０４  ＳＤメモリ
１０５  ＥＥＰＲＯＭ
１０６  ＲＴＣ
１０７  ＧＰＳ
１０８  ＣＰＵ
１０９  物理層
１１０  Ｗｉ−Ｆｉ通信部
１１１  ＵＳＢ
１１２  電源部
１１３  バッテリ
【要約】
【課題】必要なときにのみ録画が可能なカメラを提供する。
【解決手段】コンタクトターミナル１９に、充電電圧が印加される充電端子Ｖ＋と、電圧変化を検出するＣＯＮ．ＤＥＴ端子とを有し、充電ケーブル４のプラグ４１がコンタクトターミナル１９に接続された場合、充電端子Ｖ＋とＣＯＮ．ＤＥＴ端子が充電ケーブル４によって電気的に接続されて、ＣＯＮ．ＤＥＴ端子における信号レベルが「Ｈ」になり、充電ケーブル４のプラグ４１がコンタクトターミナル１９から抜けた場合、ＣＯＮ．ＤＥＴ端子に充電電圧が印加されなくなって、ＣＯＮ．ＤＥＴ端子における信号レベルが「Ｈ」から「Ｌ」になることで、カメラ１の撮像部１００から出力される画像情報の記録を開始する。
【選択図】図３【図１】
0005866548.tif 000002
【図２】
0005866548.tif 000003
【図３】
0005866548.tif 000004
【図４】
0005866548.tif 000005
【図５】
0005866548.tif 000006
【図６】
0005866548.tif 000007
【図７】
0005866548.tif 000008
【図８】
0005866548.tif 000009
【図９】
0005866548.tif 000010